(57)【要約】【課題】煩雑な作業を経ることなく、小切手の種類に応じた適切な位置に小切手情報を記録できるようにする。【解決手段】ホストコンピューター３７は、小切手の種類と一対一の関係にある金融機関ごとに、金融機関情報と、小切手情報のそれぞれの記録位置を示す情報を含むテンプレート情報とを対応付けたテンプレート情報ＤＢ５２を記憶する記憶部４５と、小切手処理装置１の磁気ヘッド２１の読取結果に基づいて金融機関情報を特定し、特定した金融機関情報と対応付けて記憶されているテンプレート情報に基づいて、小切手に各小切手情報を記録させる記録データを生成する記録データ生成部５０と、備える。【選択図】図３
2013037602.tif 000002
【特許請求の範囲】
【請求項１】
小切手に記録された識別情報を読み取る情報読取部と、前記小切手の記録面に記録する記録部とを備える小切手処理装置に接続可能な制御装置であって、
前記小切手の種類ごとに、前記小切手の種類と、前記小切手の前記記録面に記録すべき小切手情報の記録位置を示す情報を含むテンプレート情報と、を対応付けて記憶するテンプレート情報記憶部と、
前記情報読取部の読取結果を受信する受信部と、
前記受信部により受信した前記情報読取部の読取結果に基づいて、前記小切手の種類を特定し、特定した前記小切手の種類と対応付けて記憶されている前記テンプレート情報に基づいて、前記小切手の前記記録面に前記小切手情報を記録させるための記録データを生成する記録データ生成部と、
を備えることを特徴とする制御装置。
【請求項２】
前記小切手処理装置は、さらに、前記小切手の前記記録面を光学的に読み取る光学読取部を備え、
前記受信部は、さらに、前記光学読取部の読取結果を受信し、
前記受信部により受信した一の小切手に係る前記情報読取部の読取結果に基づいて前記小切手の種類を特定すると共に、当該一の小切手に係る前記光学読取部の読取結果に基づいて前記記録面に記録すべき前記小切手情報の前記記録位置を分析し、分析結果に基づいて当該一の小切手の前記テンプレート情報を生成し、特定した前記小切手の種類と、生成した前記テンプレート情報とを対応付けて前記テンプレート情報記憶部に記憶させるテンプレート情報生成部を備えることを特徴とする請求項１に記載の制御装置。
【請求項３】
前記テンプレート情報生成部は、
前記受信部により受信した一の小切手に係る前記情報読取部の読取結果に基づいて前記小切手の種類を特定した後、特定した前記小切手の種類が前記テンプレート情報記憶部に記憶されているか否かを判別し、記憶されていない場合に前記一の小切手に係る前記テンプレート情報の生成を行うことを特徴とする請求項２に記載の制御装置。
【請求項４】
小切手に記録された識別情報を読み取る情報読取部と、
前記小切手の記録面に記録する記録制御部と、
前記小切手の種類ごとに、前記小切手の種類と、前記小切手の前記記録面に記録すべき小切手情報の記録位置を示す情報を少なくとも含むテンプレート情報と、を対応付けて記憶するテンプレート情報記憶部と、を備え、
前記記録制御部は、
前記情報読取部の読取結果に基づいて、前記小切手の種類を特定し、特定した前記小切手の種類と対応付けて記憶されている前記テンプレート情報に応じて、前記小切手情報を前記小切手の前記記録面に記録することを特徴とする小切手処理装置。
【請求項５】
前記小切手の前記記録面を光学的に読み取る光学読取部と、
一の小切手に係る前記情報読取部の読取結果に基づいて前記小切手の種類を特定すると共に、当該一の小切手に係る前記光学読取部の読取結果に基づいて前記記録面に記録すべき情報の前記記録位置を分析し、分析結果に基づいて当該一の小切手の前記テンプレート情報を生成し、特定した前記小切手の種類と、生成した前記テンプレート情報とを対応付けて前記テンプレート情報記憶部に記憶させるテンプレート情報生成部と、をさらに備えることを特徴とする請求項４に記載の小切手処理装置。
【請求項６】
小切手に記録された識別情報を読み取る情報読取部と、前記小切手の記録面に記録する記録部とを備える小切手処理装置に接続可能な制御装置の制御方法であって、
前記小切手の種類ごとに、前記小切手の種類と、前記小切手の前記記録面に記録すべき小切手情報の記録位置を示す情報を含むテンプレート情報と、を対応付けて記憶し、
前記情報読取部の読取結果を受信し、
受信した前記情報読取部の読取結果に基づいて、前記小切手の種類を特定し、特定した前記小切手の種類と対応付けて記憶されている前記テンプレート情報に基づいて、前記小切手の前記記録面に前記小切手情報を記録させるための記録データを生成することを特徴とする制御装置の制御方法。
【請求項７】
小切手に記録された識別情報を読み取る情報読取部と、前記小切手の記録面に記録する記録部とを備える小切手処理装置に接続可能であり、前記小切手の種類ごとに、前記小切手の種類と、前記小切手の前記記録面に記録すべき小切手情報の記録位置を示す情報を含むテンプレート情報と、を対応付けて記憶するテンプレート情報記憶部と、前記情報読取部の読取結果を受信する受信部と、を備える制御装置の各部を制御する制御部により実行されるプログラムであって、
前記制御部を、
前記受信部により受信した前記情報読取部の読取結果に基づいて、前記小切手の種類を特定し、特定した前記小切手の種類と対応付けて記憶されている前記テンプレート情報に基づいて、前記小切手の前記記録面に前記小切手情報を記録させるための記録データを生成する記録データ生成部として機能させることを特徴とするプログラム。
【発明の詳細な説明】
【技術分野】
【０００１】
本発明は、小切手を処理する小切手処理装置に接続可能な制御装置、当該小切手処理装置、当該制御装置の制御方法、及び、当該制御装置を制御するためのプログラムに関する。
【背景技術】
【０００２】
従来、制御装置の制御の下、小切手に所定の情報を記録する小切手処理装置（単位用紙用プリンター）が知られている（例えば、特許文献１参照）。小切手には、小切手を発行したときの日付や、受取人の名前、額面、その他の小切手情報が記録される。
【先行技術文献】
【特許文献】
【０００３】
【特許文献１】特開平５−２３８０７８号公報
【発明の概要】
【発明が解決しようとする課題】
【０００４】
ところで、小切手は、媒体としての小切手を提供している主体によって、種類が異なっており、種類毎に、上述した小切手情報を記録すべき位置が異なっている。このため、従来は、小切手に小切手情報を記録する場合、当該小切手の種類に応じて、小切手情報の位置を調整した画像データを予め生成し、当該画像データに基づいて画像を記録させていた。このように小切手の種類に応じた画像データを生成するために、小切手情報の位置を調整する作業は非常に煩雑であった。特に、小切手処理装置によって複数の小切手に連続して小切手情報を記録する場合、複数の小切手のそれぞれについて、その種類に応じて小切手情報の位置を調整した画像データを生成する必要が生じ、作業に労力を要していた。
本発明は、上述した事情に鑑みてなされたものであり、煩雑な作業を経ることなく、小切手の種類に応じた適切な位置に小切手情報を記録できるようにすることを目的とする。
【課題を解決するための手段】
【０００５】
上記目的を達成するために、本発明は、小切手に記録された識別情報を読み取る情報読取部と、前記小切手の記録面に記録する記録部とを備える小切手処理装置に接続可能な制御装置であって、前記小切手の種類ごとに、前記小切手の種類と、前記小切手の前記記録面に記録すべき小切手情報の記録位置を示す情報を含むテンプレート情報と、を対応付けて記憶するテンプレート情報記憶部と、前記情報読取部の読取結果を受信する受信部と、前記受信部により受信した前記情報読取部の読取結果に基づいて、前記小切手の種類を特定し、特定した前記小切手の種類と対応付けて記憶されている前記テンプレート情報に基づいて、前記小切手の前記記録面に前記小切手情報を記録させるための記録データを生成する記録データ生成部と、を備えることを特徴とする。
ここで、一般に、小切手には、磁気インク文字等によって固有の識別情報が記録されており、この識別情報には、銀行等の小切手を提供する主体を示す情報が含まれている。そして、小切手を提供する主体ごとに、小切手の種類が異なっているという実情があるため、小切手を提供する主体を特定することにより、小切手の種類を特定可能である。
以上を踏まえ、上記構成によれば、小切手に記録された識別情報の読取結果に基づいて、小切手の種類が特定され、特定された小切手の種類と対応付けて記憶されているテンプレート情報に応じて、小切手の記録面に各小切手情報を記録させるための記録データが生成されるため、小切手に小切手情報を記録する際に、事前に、小切手の種類に応じた調整を行うことなく、小切手の適切な位置に小切手情報を記録することが可能となり、煩雑な作業を経ることなく小切手の種類に応じた適切な位置に小切手情報を記録できることとなる。
【０００６】
また、上記発明の制御装置であって、本発明は、前記小切手処理装置は、さらに、前記小切手の前記記録面を光学的に読み取る光学読取部を備え、前記受信部は、さらに、前記光学読取部の読取結果を受信し、前記受信部により受信した一の小切手に係る前記情報読取部の読取結果に基づいて前記小切手の種類を特定すると共に、当該一の小切手に係る前記光学読取部の読取結果に基づいて前記記録面に記録すべき前記小切手情報の前記記録位置を分析し、分析結果に基づいて当該一の小切手の前記テンプレート情報を生成し、特定した前記小切手の種類と、生成した前記テンプレート情報とを対応付けて前記テンプレート情報記憶部に記憶させるテンプレート情報生成部を備えることを特徴とする。
この構成によれば、小切手の記録面に対する光学的な読取結果に基づいて、自動で、テンプレート情報が生成され、当該テンプレート情報に対応する小切手の種類と対応付けて記憶されるため、人為的な手段によりテンプレート情報を生成する必要が無く、さらに、煩雑な作業を抑制することが可能である。
【０００７】
また、上記発明の制御装置であって、本発明は、前記テンプレート情報生成部は、前記受信部により受信した一の小切手に係る前記情報読取部の読取結果に基づいて前記小切手の種類を特定した後、特定した前記小切手の種類が前記テンプレート情報記憶部に記憶されているか否かを判別し、記憶されていない場合に前記一の小切手に係る前記テンプレート情報の生成を行うことを特徴とする。
この構成によれば、一の小切手を処理したときに、当該一の小切手に係るテンプレート情報がテンプレート情報記憶部に記録されていない場合は、当該一の小切手に係るテンプレート情報が、自動で、追加されるため、当該一の小切手を処理する際に、人為的な手段によりテンプレート情報記憶部にテンプレート情報が記憶されているか否かを判別する必要がなく、さらに、煩雑な作業を抑制することが可能である。
【０００８】
また、上記目的を達成するために、本発明は、小切手に記録された識別情報を読み取る情報読取部と、前記小切手の記録面に記録する記録制御部と、前記小切手の種類ごとに、前記小切手の種類と、前記小切手の前記記録面に記録すべき小切手情報の記録位置を示す情報を少なくとも含むテンプレート情報と、を対応付けて記憶するテンプレート情報記憶部と、を備え、前記記録制御部は、前記情報読取部の読取結果に基づいて、前記小切手の種類を特定し、特定した前記小切手の種類と対応付けて記憶されている前記テンプレート情報に応じて、前記小切手情報を前記小切手の前記記録面に記録することを特徴とする。
この構成によれば、小切手に記録された識別情報の読取結果に基づいて、小切手の種類が特定され、特定された小切手の種類と対応付けて記憶されているテンプレート情報に応じて、小切手の記録面に各小切手情報が記録されるため、小切手に小切手情報を記録する際に、事前に、小切手の種類に応じた調整を行うことなく、小切手の適切な位置に小切手情報を記録することが可能となり、煩雑な作業を経ることなく小切手の種類に応じた適切な位置に小切手情報を記録できることとなる。
【０００９】
また、上記発明の小切手処理装置であって、本発明は、前記小切手の前記記録面を光学的に読み取る光学読取部と、一の小切手に係る前記情報読取部の読取結果に基づいて前記小切手の種類を特定すると共に、当該一の小切手に係る前記光学読取部の読取結果に基づいて前記記録面に記録すべき情報の前記記録位置を分析し、分析結果に基づいて当該一の小切手の前記テンプレート情報を生成し、特定した前記小切手の種類と、生成した前記テンプレート情報とを対応付けて前記テンプレート情報記憶部に記憶させるテンプレート情報生成部と、をさらに備えることを特徴とする。
この構成によれば、小切手の記録面に対する光学的な読取結果に基づいて、自動で、テンプレート情報が生成され、当該テンプレート情報に対応する小切手の種類と対応付けて記憶されるため、人為的な手段によりテンプレート情報を生成する必要が無く、さらに、煩雑な作業を抑制することが可能である。
【００１０】
また、上記目的を達成するために、本発明は、小切手に記録された識別情報を読み取る情報読取部と、前記小切手の記録面に記録する記録部とを備える小切手処理装置に接続可能な制御装置の制御方法であって、前記小切手の種類ごとに、前記小切手の種類と、前記小切手の前記記録面に記録すべき小切手情報の記録位置を示す情報を含むテンプレート情報と、を対応付けて記憶し、前記情報読取部の読取結果を受信し、受信した前記情報読取部の読取結果に基づいて、前記小切手の種類を特定し、特定した前記小切手の種類と対応付けて記憶されている前記テンプレート情報に基づいて、前記小切手の前記記録面に前記小切手情報を記録させるための記録データを生成することを特徴とする。
この制御方法によれば、小切手に記録された識別情報の読取結果に基づいて、小切手の種類が特定され、特定された小切手の種類と対応付けて記憶されているテンプレート情報に応じて、小切手の記録面に各小切手情報が記録されるため、小切手に小切手情報を記録する際に、事前に、小切手の種類に応じた調整を行うことなく、小切手の適切な位置に小切手情報を記録することが可能となり、煩雑な作業を経ることなく小切手の種類に応じた適切な位置に小切手情報を記録できることとなる。
【００１１】
また、上記目的を達成するために、本発明は、小切手に記録された識別情報を読み取る情報読取部と、前記小切手の記録面に記録する記録部とを備える小切手処理装置に接続可能であり、前記小切手の種類ごとに、前記小切手の種類と、前記小切手の前記記録面に記録すべき小切手情報の記録位置を示す情報を含むテンプレート情報と、を対応付けて記憶するテンプレート情報記憶部と、前記情報読取部の読取結果を受信する受信部と、を備える制御装置の各部を制御する制御部により実行されるプログラムであって、前記制御部を、前記受信部により受信した前記情報読取部の読取結果に基づいて、前記小切手の種類を特定し、特定した前記小切手の種類と対応付けて記憶されている前記テンプレート情報に基づいて、前記小切手の前記記録面に前記小切手情報を記録させるための記録データを生成する記録データ生成部として機能させることを特徴とする。
このプログラムを実行すれば、小切手に記録された識別情報の読取結果に基づいて、小切手の種類が特定され、特定された小切手の種類と対応付けて記憶されているテンプレート情報に応じて、小切手の記録面に各小切手情報が記録されるため、小切手に小切手情報を記録する際に、事前に、小切手の種類に応じた調整を行うことなく、小切手の適切な位置に小切手情報を記録することが可能となり、煩雑な作業を経ることなく小切手の種類に応じた適切な位置に小切手情報を記録できることとなる。
【発明の効果】
【００１２】
本発明によれば、煩雑な作業を経ることなく、小切手の種類に応じた適切な位置に小切手情報を記録できるようになる。
【図面の簡単な説明】
【００１３】
【図１】本実施形態に係る小切手処理装置の内部構造を示す図である。
【図２】小切手を模式的に示す図である。
【図３】記録システムの機能的構成を示すブロック図である。
【図４】ホストコンピューターの動作を示すフローチャートである。
【図５】テンプレート情報ＤＢのデータ構造を示す図である。
【図６】表面画像データ６０を座標系に展開した様子を示す図である。
【図７】別の実施形態に係る記録システムの機能的構成を示すブロック図である。
【発明を実施するための形態】
【００１４】
以下、図面を参照して本発明の実施形態について説明する。
図１は、本実施形態に係る小切手処理装置１を上から見たときの内部構造を模式的に示す図である。
小切手処理装置１は、小切手４（図２）に記録された磁気インク文字列４ｇを読み取る機能、小切手４に対して画像を記録する機能、及び、小切手４の両面を光学的に読み取る機能を有した装置である。
【００１５】
図２は、小切手４の一例を模式的に示す図である。
小切手４は、所定の模様や装飾が施されたシートであり、小切手処理装置１によって小切手４の発行手続がなされる際は、その表面４ａ（記録面）に、発行日情報４ｂや、受取人情報４ｃ、額面数値情報４ｄ、額面文字列情報４ｅ、サイン４ｆ等の小切手情報が記録される。発行日情報４ｂとは、小切手４の発行日を示す情報である。受取人情報４ｃとは、発行された小切手４を受け取る者の名前を示す情報である。額面数値情報４ｄとは、小切手４の額面を数値によって表す情報である。額面文字列情報４ｅとは、小切手４の額面を文字によって表す情報である。額面数値情報４ｄは、例えば、「１０」であり、額面文字列情報４ｅは、例えば、「ｔｅｎ」である。サイン４ｆとは、当該小切手４を発行する責任者（例えば、小切手４の発行に係る金融機関の担当者の長）の署名のグラフィック画像である。
また、小切手４の裏面には裏書き欄が設けられている。この裏書き欄には、裏書きに係る所定の文字または画像が記録される。
図２に示すように、また、表面４ａには小切手４の長辺方向に延びる磁気インク文字列４ｇが形成されている。磁気インク文字列４ｇは、小切手４固有の識別情報を示すものであり、磁気インクで記録された複数の磁気インク文字４ｈが並んで構成され、磁気的または光学的に読み取ることができる。磁気インク文字列４ｇが示す識別情報には、紙媒体としての小切手４を提供する主体（小切手４を振り出すための当座預金口座がある金融機関等。以下、単に「金融機関」という。）を示す情報（以下、「金融機関情報」という）が含まれている。
【００１６】
小切手４の短辺方向及び長辺方向のサイズは規格化されているものの、多様な規格が存在するため、実際には様々なサイズがある。小切手処理装置１では、一般的な小切手４のサイズをほぼ包含し得る最大サイズを規定し、この最大サイズ内の小切手４であれば処理できる。
さらに、小切手４の表面４ａにおいて、各小切手情報が記録される位置は、小切手４の種類によって異なっている。そして、小切手４の種類は、小切手４の提供に係る金融機関ごとに異なっている。すなわち、小切手４の提供に係る金融機関ごとに小切手４の種類は異なっており、かつ１つの金融機関は、１種類の小切手４を提供する。なお、本実施形態において、「小切手４の種類」とは、小切手４のサイズと、小切手４の表面４ａにおける各小切手情報の位置との組み合わせのことであり、サイズ、及び、小切手情報の位置が一致する一群の小切手４は、同一の種類の小切手４であり、一方、サイズ、及び、小切手情報の位置に１つでも相違がある複数の小切手４は、それぞれ異なる種類の小切手４である。
以下の説明では、説明の便宜のため、小切手処理装置１によって小切手４を発行する際は、小切手４の種類にかかわらず、小切手４の表面４ａに、発行日情報４ｂ、受取人情報４ｃ、額面数値情報４ｄ、額面文字列情報４ｅ、及び、サイン４ｆの５つの小切手情報が過不足なく記録されるものとする。現実には、これら小切手情報の一部が記録されていない場合もあり、また、他の小切手情報が記録される場合もある。
【００１７】
図１に示すように、小切手処理装置１には、上から見た場合にＵ字形状をした細幅の垂直溝からなる搬送路１０が形成されており、この搬送路１０の一方の端は広幅の垂直溝からなる小切手供給部１１に連通しており、他方の端は分岐して、それぞれ広幅の垂直溝からなる第１収容部１２、及び、第２収容部１３に連通している。
小切手供給部１１は、処理前の小切手４を複数枚（例えば１００枚）収容可能に構成されており、収容された小切手４を一枚ずつ搬送路１０に送り出すための送り出し機構が設けられている。小切手供給部１１に収容される際、小切手４は、その表面４ａが外側に向かった状態となるように収容され、その表面４ａが外側に向かった状態のまま搬送路１０上を搬送される。
また、小切手処理装置１には、搬送路１０において、小切手４を搬送方向に搬送させる搬送機構１５が設けられている。搬送機構１５は、複数の搬送ローラー１６と、各搬送ローラー１６に押しつけられて連れ回りする複数の従動ローラー１７と、各搬送ローラー１６を駆動する搬送用モーター１８（図３）とを備えており、後述するデバイス側制御部２０の制御の下、搬送用モーター１８の駆動に従って、搬送ローラー１６、従動ローラー１７とのそれぞれが回転し、小切手４が搬送方向に搬送される。搬送機構１５と、デバイス側制御部２０とが協働して搬送部として機能する。
【００１８】
小切手供給部１１の搬送方向下流には、小切手４の表面４ａに接して磁気インク文字列４ｇを磁気的に読み取る磁気ヘッド２１（情報読取部）が配置されている。
搬送路１０において、磁気ヘッド２１の搬送方向下流には、表面側記録ヘッド２３（記録部）と、裏面側記録ヘッド２４とを備える記録ヘッドユニット２５が設けられている。表面側記録ヘッド２３、及び、裏面側記録ヘッド２４のそれぞれは、インクを吐出して画像を記録するインクジェット方式の記録ヘッドである。
表面側記録ヘッド２３は、搬送路１０を搬送される小切手４の表面４ａに対向するように設けられており、小切手４の発行手続に際して表面４ａに上述した各小切手情報を記録する。一方、裏面側記録ヘッド２４は、搬送路１０を搬送される小切手４の裏面に対向するように設けられており、小切手４の受付手続に際して裏面にいわゆる裏書きと呼ばれる文字や画像を記録する。
【００１９】
さらに、搬送路１０において、記録ヘッドユニット２５の搬送方向下流には、表面側ＣＩＳ（Contact Image Sensor）２７（光学読取部）と、裏面側ＣＩＳ２８とを備えるＣＩＳユニット２９が設けられている。
表面側ＣＩＳ２７は、搬送路１０を搬送される小切手４の表面４ａに対向するように設けられており、搬送路１０を搬送される小切手４の表面４ａの画像を光学的に読み取り、読み取り結果をデバイス側制御部２０に出力する。一方、裏面側ＣＩＳ２８は、搬送路１０を搬送される小切手４の裏面に対向するように設けられており、搬送路１０を搬送される小切手４の裏面の画像を光学的に読み取り、読み取り結果をデバイス側制御部２０に出力する。
【００２０】
搬送路１０の他方の端では、搬送路１０が分岐して第１分岐路３１、及び、第２分岐路３２が形成されており、第１分岐路３１には第１収容部１２が、第２分岐路３２には第２収容部１３がそれぞれ連通している。搬送路１０が分岐した部位には、搬送路１０上を流れてきた小切手４について、第１分岐路３１を経由して第１収容部１２に収容するか、又は、第２分岐路３２を経由して第２収容部１３に収容するかを選択的に切り換える切換板３３が設けられている。切換板３３は、切換用モーター３４（図３）に接続されており、デバイス側制御部２０は、切換用モーター３４を駆動して、上記切り替えを実行する。後述する磁気インク文字認識部３５による磁気インク文字列４ｇの読み取りが成功した小切手４については第１収容部１２に収容され、読み取り結果が失敗した小切手４については第２収容部１３に収容される。
図示は省略したが、搬送路１０には、小切手４の搬送の制御のための各種センサーが配置されている。センサーとしては、例えば、小切手４が重なった状態で搬送されていることを検出するセンサーや、紙ジャムを検出するセンサー、所定の位置における小切手４の有無を検出するセンサー等がある。
【００２１】
図３は、本実施形態に係る小切手処理システム５の機能的構成を示すブロック図である。
小切手処理システム５は、小切手処理装置１と、この小切手処理装置１を制御するホストコンピューター３７（制御装置）と、を備えている。
【００２２】
図３に示すように、小切手処理装置１は、デバイス側制御部２０と、媒体処理部３８と、磁気ヘッド２１と、記録ヘッドユニット２５と、ＣＩＳユニット２９と、デバイス側記憶部３９と、インターフェイス部４０（Ｉ／Ｆ）と、を備えている。
デバイス側制御部２０は、小切手処理装置１の各部を中枢的に制御するものであり、演算実行部としてのＣＰＵや、このＣＰＵに実行されるファームウェア等の制御プログラムや、この制御プログラムに係るデータ等を不揮発的に記憶するＲＯＭ、ＣＰＵに実行される制御プログラムに係るデータ等を一時的に記憶するＲＡＭ、その他の周辺回路等を備えている。
媒体処理部３８は、上述した搬送用モーター１８、及び、切換用モーター３４のほか、小切手４を処理するための各種機構、装置を備え、デバイス側制御部２０の制御の下、小切手４の処理を実行する。
磁気ヘッド２１は、所定の信号処理回路を備え、搬送路１０上を搬送される小切手４の磁気インク文字列４ｇによって形成される磁界の変化によって発生する起電力に基づいて検出信号を生成し、生成した検出信号を増幅し、波形整形し、デジタル変換した上で、磁気読取結果データ（情報読取部の読取結果）として、デバイス側制御部２０に出力する。デバイス側制御部２０は、入力された磁気読取結果データをホストコンピューター３７の制御部４２に送信する。
【００２３】
記録ヘッドユニット２５の表面側記録ヘッド２３、及び、裏面側記録ヘッド２４は、デバイス側制御部２０の制御の下、搬送路１０上を搬送される小切手４の表面４ａ又は裏面に画像を記録する。デバイス側制御部２０は、各記録ヘッドが備えるアクチュエーターを駆動し、各記録ヘッドに形成されたノズル孔から必要量のインクを吐出することにより、小切手４の表面４ａ又は裏面に画像を記録する。
また、ＣＩＳユニット２９の表面側ＣＩＳ２７、及び、裏面側ＣＩＳ２８は、搬送路１０を搬送される小切手４の表面４ａ又は裏面を光学的に読みと取って、読取結果をデバイス側制御部２０に出力する。デバイス側制御部２０は、表面側ＣＩＳ２７の読取結果に基づいて小切手４の表面４ａを示す画像データ（以下、「表面画像データ６０」という。）を生成しホストコンピューター３７の制御部４２に送信し、また、裏面側ＣＩＳ２８の読取結果に基づいて小切手４の裏面を示す画像データを生成し制御部４２に送信する。
デバイス側記憶部３９は、ＥＥＰＲＯＭや、ハードディスク等の不揮発性メモリーを備え、各種データを書き換え可能に記憶する。
インターフェイス部４０（Ｉ／Ｆ）は、デバイス側制御部２０の制御の下、ホストコンピューター３７との間で所定の規格に準拠した通信を行う。
【００２４】
また、図３に示すように、ホストコンピューター３７は、制御部４２と、入力部４３と、表示部４４と、記憶部４５と、インターフェイス部４６と、を備えている。
制御部４２は、ホストコンピューター３７の各部を中枢的に制御するものであり、ＣＰＵや、ＲＯＭ、ＲＡＭ、その他の周辺回路等を備えている。制御部４２は、アプリケーション実行部４８と、ドライバー実行部４９とを備え、ドライバー実行部４９は、磁気インク文字認識部３５と、記録データ生成部５０と、テンプレート情報生成部５１と、を備えているが、これら機能ブロックについては後述する。
入力部４３は、各種入力デバイスに接続され、各種入力デバイスに対する操作を検出して、制御部４２に出力する。
表示部４４は、表示パネルに接続され、制御部４２の制御の下、各種情報を表示パネルに表示する。
記憶部４５（テンプレート情報記憶部）は、ＥＥＰＲＯＭや、ハードディスク等の不揮発性メモリーを備え、各種データを不揮発的に書き換え可能に記憶する。記憶部４５には、テンプレート情報ＤＢ５２が記憶されているが、これについては後述する。
インターフェイス部４６（Ｉ／Ｆ）は、制御部４２の制御の下、小切手処理装置１との間で所定の規格に準拠した通信を行う。インターフェイス部４６と制御部４２とが協働して受信部として機能する。
【００２５】
本実施形態では、小切手４の発行手続において、ある１枚の小切手４を処理する場合、小切手処理システム５により、以下の一連の処理が実行される。
すなわち、小切手供給部１１に収容された小切手４のうち１枚が、図示せぬ送り出し機構により搬送路１０に送り出される。送り出された小切手４は、磁気ヘッド２１によって磁気インク文字列４ｇが読み取られ、その読取結果が、磁気読取結果データとしてホストコンピューター３７に送信される。
ホストコンピューター３７の制御部４２の磁気インク文字認識部３５は、受信した磁気読取結果データに基づいて、磁気ヘッド２１により検出された検出信号が示す波形と、パターンマッチング用の基準波形とを照合し、磁気インク文字列４ｇを構成する磁気インク文字４ｈのそれぞれについて認識を試みる。磁気インク文字認識部３５は、磁気インク文字列４ｇを構成する磁気インク文字４ｈの全てについて認識ができた場合は、磁気インク文字列４ｇの読み取りが成功したと判別し、認識結果を識別情報としてＲＡＭ等の一時記憶領域に記憶する。この識別情報とは、磁気インク文字列４ｇを構成する磁気インク文字４ｈのそれぞれの文字種類を特定する情報であり、例えば、磁気インク文字４ｈのフォントがＥ−１３Ｂフォントの場合は、磁気インク文字列４ｇを構成する磁気インク文字４ｈのそれぞれについて、「０」〜「９」、及び、４つの制御文字（トランジット記号（TRANSIT SYMBOL）、アマウント記号（AMOUNT SYMBOL）、オン−アス記号（ON-US SYMBOL）、及び、ダッシュ記号（DASH SYMBOL））の１４個の文字種類のうちのいずれかの文字種類に特定する情報である。また、読み取りが成功した場合には、磁気インク文字認識部３５は、切換板３３を第１収容部１２側に切り換えさせる制御コマンドを小切手処理装置１に出力する。当該制御コマンドに基づいて、デバイス側制御部２０は、切換板３３を第１収容部１２側に切り換える。
一方、磁気インク文字認識部３５は、磁気インク文字列４ｇを構成する磁気インク文字４ｈのうち、１つでも読み取りが失敗したものがある場合は、磁気インク文字列４ｇの読み取りが失敗したと判別し、その旨の情報をＲＡＭ等の一時記憶領域に記憶する。また、読み取りが失敗した場合には、磁気インク文字認識部３５は、切換板３３を第２収容部１３側に切り換えさせる制御コマンドを小切手処理装置１に出力する。当該制御コマンドに基づいて、デバイス側制御部２０は、切換板３３を第２収容部１３側に切り換える。
この磁気インク文字認識部３５は、制御部４２のＣＰＵがプリンタードライバーを読み出して実行する等、ハードウェアとソフトウェアとの協働により実現される。
【００２６】
磁気ヘッド２１により磁気インク文字列４ｇが読み取られた小切手４は、さらに下流に搬送されて、表面側記録ヘッド２３によって、その表面４ａに小切手情報たる発行日情報４ｂ、受取人情報４ｃ、額面数値情報４ｄ、額面文字列情報４ｅ、及び、サイン４ｆが記録される。この記録に係る動作については後に詳述する。
表面側記録ヘッド２３によって小切手情報が記録された小切手４はさらに下流に配置されて、表面側ＣＩＳ２７によって、その表面４ａが読み取られる。デバイス側制御部２０は、表面側ＣＩＳ２７の読取結果に基づいて小切手４の表面４ａを示す表面画像データ６０を生成し、ホストコンピューター３７の制御部４２に送信する。
ホストコンピューター３７の制御部４２は、受信した表面画像データ６０を、磁気インク文字列４ｇが示す識別情報と対応付けて所定のデータベースに記憶する。識別情報と対応付けて所定のデータベースに記憶された表面画像データ６０は、例えば、過去に発行した小切手４を照会するとき等に使用される。その際、識別情報がキーとして、表面画像データ６０の検索が行われる。なお、磁気インク文字列４ｇの読み取りが失敗している場合、制御部４２は、その旨を示す情報と、表面画像データ６０とを対応付けて記憶する。
表面側記録ヘッド２３によって表面４ａが読み取られた小切手４は、さらに下流に搬送され、切換板３３に導かれて、第１収容部１２、及び、第２収容部１３のうち、磁気インク文字列４ｇの認識の成功／失敗に応じた適切な収容部に収容される。
【００２７】
次いで、上述した発行手続において、表面側記録ヘッド２３によって小切手４の表面４ａに小切手情報を記録する際の小切手処理システム５の動作について詳述する。
まず、「従来」の小切手処理システム５の動作を説明し、従来の小切手処理システム５の課題を説明する。
従来の小切手処理システム５では、ある一の小切手４の表面４ａに小切手情報を記録する際、まず、アプリケーション実行部４８は、ホストコンピューター３７に予めインストールされたアプリケーションを実行することにより、画像情報データを生成し、ドライバー実行部４９に出力する。
この従来の画像情報データは、小切手４の表面４ａに記録すべき各小切手情報（発行日情報４ｂ、受取人情報４ｃ、額面数値情報４ｄ、額面文字列情報４ｅ、及び、サイン４ｆ）について、小切手４の表面４ａにおける小切手情報の位置と、小切手情報の内容とを含んで構成されるデータである。
小切手情報の位置とは、小切手４の表面４ａにおける各小切手情報の位置を明示する情報のことであり、例えば、小切手４の表面４ａ全体の画像を画像データ（＝表面４ａへの画像の記録の際にプリントバッファーに展開されることが想定された画像データ）として所定の座標系に展開した場合において、当該画像データが展開された領域に対する相対的な小切手情報が記録される領域の座標のことである。
また、小切手情報の内容とは、小切手情報が文字列から構成される場合（発行日情報４ｂ、受取人情報４ｃ、額面数値情報４ｄ、及び、額面文字列情報４ｅ）は、その文字列のことであり、小切手情報がグラフィック画像から構成される場合（サイン４ｆ）は、その画像データのことである。
上述したように、小切手４では、その種類毎に、表面４ａにおいて各小切手情報を記録すべき位置が異なっている。これを踏まえ、従来は、アプリケーション実行部４８による画像情報データの生成の前に、以下のような作業が行われていた。
すなわち、まず、作業者が、発行しようとしている小切手４の種類を把握する。次いで、作業者は、アプリケーションの機能によって提供されるユーザーインターフェイスを介して、小切手４の種類に対応させて、各小切手情報の位置を示す情報を入力すると共に、各小切手情報の内容を示す情報を入力する。
このような作業が行われた後、アプリケーション実行部４８は、ユーザーインターフェイスに入力された情報に基づいて、画像情報データを生成し、ドライバー実行部４９に出力する。
【００２８】
ドライバー実行部４９は、ホストコンピューター３７に予めインストールされたプリンタードライバーを実行することにより、アプリケーション実行部４８から入力された画像情報データに基づいて、小切手４の表面４ａに記録すべき画像の画像データを生成し、小切手処理装置１のコマンド仕様に対応して、当該画像データに係る画像を記録させる制御コマンドを生成し、小切手処理装置１のデバイス側制御部２０に出力する。ここでホストコンピューター３７から小切手処理装置１に出力される画像データは、小切手４の表面４ａの適切な位置に各小切手情報が配置された画像データとなっている。
デバイス側制御部２０は、入力された制御コマンドに基づいて、いわゆるページモードによる画像の記録を行う。すなわち、小切手４の表面４ａへの画像の記録に際し、デバイス側制御部２０は、ＲＡＭに形成されたプリントバッファーに、１ページ分（小切手４、１枚分）の画像データの全てを展開する。次いで、デバイス側制御部２０は、プリントバッファーに展開した画像データに基づいて記録を実行することにより、小切手４の表面４ａの適切な位置に各小切手情報を記録する。
【００２９】
このような従来の方法で画像の記録を実行した場合、以下のような問題があった。
すなわち、従来は、小切手４の発行に際し、発行しようとしている小切手４の種類に応じて、予め、作業者が、各小切手情報の記録位置を示す情報を入力する必要があったが、当該作業が非常に煩雑であった。特に、小切手処理装置１によって複数（例えば１００枚）の小切手４に対して連続して発行手続に係る処理を施す際、複数の小切手４のそれぞれについて、その種類に応じて記録位置を示す情報を入力する必要があり、作業に労力を要していた。
以上を踏まえ、本実施形態に係るホストコンピューター３７は、以下の動作を実行することにより、煩雑な作業を経ることなく、小切手４の種類に応じた適切な位置に小切手情報を記録できるようにしている。
【００３０】
図４は、発行手続において、小切手処理装置１を制御する際のホストコンピューター３７の動作を示すフローチャートである。
図４の動作の前提として、作業者により以下の作業が行われ、かつ、当該作業に基づいて、アプリケーション実行部４８が以下のような画像情報データを生成し、ドライバー実行部４９に出力しているものとする。
【００３１】
すなわち、作業者は、本実施形態に係るアプリケーションの機能によって提供されるユーザーインターフェイスを利用して、処理しようとしている小切手４の各小切手情報の内容を示す情報をホストコンピューター３７に入力する。当該ユーザーインターフェイスでは、小切手情報ごとに、その内容を入力するための欄が形成されており、作業者は、キーボードやマウスを利用して、各欄に適切な小切手情報を入力する。例えば、作業者は、発行日情報４ｂの内容を入力する欄に、キーボードやマウスを利用して「２０１１／１／１」と入力したり、また、額面数値情報４ｄの内容を入力する欄に、キーボードやマウスを利用して「１０」と入力したりする。また、サイン４ｆの内容を入力する欄では、サイン４ｆの画像データ（例えば、ＪＰＥＧの画像データ）のルートディレクトリーからのパス名を入力する構成となっており、作業者は、所定のフォルダーにサイン４ｆの画像データを格納した上で、当該画像データへのパス名を当該欄に入力する。なお、発行日情報４ｂや、サイン４ｆ等の小切手４に定型的に記録される小切手情報については、デフォルトで入力されるようにしてもよいことは勿論である。
そして、アプリケーション実行部４８は、ユーザーインターフェイスに入力された情報に基づいて、画像情報データを生成し、ドライバー実行部４９に出力する。ここで生成される画像情報データは、従来の画像情報データと異なり、各小切手情報の記録位置を示す情報が含まれていない。
このように、本実施形態では、従来と異なり、小切手４の発行手続にあたり、作業者は、処理しようとしている小切手４の種類を把握した上で各小切手情報の記録位置を示す情報を入力する、という煩雑な作業を行う必要がない。これに伴って、アプリケーション実行部４８からドライバー実行部４９に出力される画像情報データに、小切手情報の記録位置を示す情報が含まれていないが、このような状態であっても、ホストコンピューター３７により以下の動作が行われることにより各小切手情報は小切手４の表面４ａの適切な位置に記録される。
【００３２】
図４を参照し、まず、ホストコンピューター３７の制御部４２のドライバー実行部４９は、小切手供給部１１に収容された小切手４の一枚の搬送を開始させ、磁気ヘッド２１によって当該小切手４の磁気インク文字列４ｇを読み取らせる動作を行わせる制御コマンドを生成し、小切手処理装置１に送信する（ステップＳＡ１）。
小切手処理装置１のデバイス側制御部２０は、当該制御コマンドに基づいて、小切手４の搬送を開始し、磁気ヘッド２１によって磁気インク文字列４ｇを読み取り、読取結果に基づいて磁気読取結果データを生成し、ホストコンピューター３７に送信する。
当該磁気読取結果データを受信すると（ステップＳＡ２）、ホストコンピューター３７の制御部４２の磁気インク文字認識部３５は、磁気インク文字列４ｇの認識を行い、磁気インク文字列４ｇが示す識別情報を特定し、ＲＡＭに記憶する（ステップＳＡ３）。説明の便宜のため、読み取りは成功しているものとする。
次いで、制御部４２の記録データ生成部５０は、識別情報に含まれている金融機関情報を特定する（ステップＳＡ４）。なお、例えば、２０桁の識別情報のうち３桁目〜７桁目の情報が金融機関情報に該当する等、識別情報に基づいて金融機関情報を特定するための規則が事前に定められており、記録データ生成部５０は、当該規則に準じて、金融機関情報を特定する。この記録データ生成部５０の機能は、制御部４２のＣＰＵがプリンタードライバーを読み出して実行する等、ハードウェアとソフトウェアとの協働により実現される。
上述したように、本実施形態では、金融機関ごとに小切手４の種類が存在しているため、ステップＳＡ４では、記録データ生成部５０は、金融機関情報を特定することにより、小切手４の種類を特定している。
次いで、記録データ生成部５０は、記憶部４５に記憶されたテンプレート情報ＤＢ５２を参照する（ステップＳＡ５）。
【００３３】
図５は、テンプレート情報ＤＢ５２の内容を模式的に示す図である。
図５に示すように、テンプレート情報ＤＢ５２の１件のレコードは、金融機関情報フィールド５２ａと、テンプレート情報フィールド５２ｂとを備え、テンプレート情報フィールド５２ｂは、サイズ情報フィールド５２ｃと、発行日記録位置情報フィールド５２ｄと、受取人記録位置情報フィールド５２ｅと、額面数値記録位置情報フィールド５２ｆと、額面文字列記録位置情報フィールド５２ｇと、サイン記録位置情報フィールド５２ｈと、を備えている。
金融機関情報フィールド５２ａには、金融機関情報が格納される。テンプレート情報フィールド５２ｂのサイズ情報フィールド５２ｃには、小切手４のサイズを示す情報が格納される。発行日記録位置情報フィールド５２ｄには発行日情報４ｂの記録位置を示す情報が、受取人記録位置情報フィールド５２ｅには受取人情報４ｃの記録位置を示す情報が、額面数値記録位置情報フィールド５２ｆには額面数値情報４ｄの記録位置を示す情報が、額面文字列記録位置情報フィールド５２ｇには額面文字列情報４ｅの記録位置を示す情報が、サイン記録位置情報フィールド５２ｈにはサイン４ｆの記録位置を示す情報が、それぞれ入力される。
小切手情報の記録位置を示す情報とは、小切手４の表面４ａにおける小切手情報の位置を明示する情報のことであり、本実施形態では、記録データ生成部５０が生成すべき画像データ（小切手処理装置１に出力される画像データであり、小切手処理装置１においてプリントバッファーに展開される画像データ。以下、「出力画像データ」という。）を所定の座標系に展開した場合における当該出力画像データの四隅の座標と、当該所定の座標系に展開した出力画像データにおいて各小切手情報が記録される領域の四隅の座標と、を対応付けた情報である。
【００３４】
上述したように、金融機関ごとに小切手４の種類が存在し、かつ、１つの金融機関は、１種類の小切手４を提供する。そして、小切手４の種類毎に、小切手４のサイズ、及び、小切手４の表面４ａにおける各小切手情報の位置は異なっている。これを踏まえ、テンプレート情報ＤＢ５２では、金融機関ごとに、金融機関の金融機関情報と、金融機関が提供する小切手４のサイズ、及び、各小切手情報の記録位置を示す情報と、を対応付けて記憶している。
テンプレート情報ＤＢ５２の各レコードは、プリンタードライバーが提供するユーザーインターフェイスを介して人為的に生成可能であり、さらに、テンプレート情報生成部５１により自動で生成可能である。テンプレート情報生成部５１については後に詳述する。
【００３５】
さて、前掲図４に戻り、記録データ生成部５０は、ステップＳＡ５においてテンプレート情報ＤＢ５２を参照した後、テンプレート情報ＤＢ５２のいずれかのレコードに、ステップＳＡ４で特定した金融機関情報が金融機関情報フィールド５２ａに格納されたレコードが存在するか否かを判別する（ステップＳＡ６）。
上記レコードが存在する場合（ステップＳＡ６：ＹＥＳ）、記録データ生成部５０は、当該レコードのテンプレート情報フィールド５２ｂを参照し、テンプレート情報を取得する（ステップＳＡ７）。テンプレート情報とは、テンプレート情報フィールド５２ｂが備える６つのフィールドのそれぞれに格納されている情報のそれぞれである。
次いで、記録データ生成部５０は、アプリケーション実行部４８から入力された画像情報データと、ステップＳＡ７で取得したテンプレート情報に基づいて、出力画像データを生成する（ステップＳＡ８）。テンプレート情報のうち小切手４のサイズを示す情報により、出力画像データのサイズ（出力画像データの縦、横のドット数）が定まり、かつ、各小切手情報の記録位置を示す情報により、出力画像データにおける各小切手情報を配置すべき領域が定まるため、画像情報データ及びテンプレート情報に基づいて出力画像データを生成することが可能である。
【００３６】
次いで、記録データ生成部５０は、ステップＳＡ８で生成した出力画像データに基づいて、小切手４の表面４ａに出力画像データに係る画像を記録させる制御コマンドを生成する（ステップＳＡ９）。ここで生成された制御コマンドが記録データに該当する。
次いで、記録データ生成部５０は、ステップＳＡ９で生成した制御コマンドを小切手処理装置１のデバイス側制御部２０に送信する（ステップＳＡ１０）。当該制御コマンドを受信した小切手処理装置１のデバイス側制御部２０は、当該制御コマンドに基づいて、出力画像データをプリントバッファーに展開して、小切手４の表面４ａへの画像の記録を実行する。その後、ホストコンピューター３７と小切手処理装置１とが協働して、表面側ＣＩＳ２７による表面４ａの画像の読み取りや、小切手４の第１収容部１２、又は、第２収容部１３への排出を実行する。
【００３７】
このように、本実施形態では、金融機関情報（小切手４の種類）と、テンプレート情報とが予め対応付けて記憶されており、発行手続において小切手４が処理される際は、小切手４の磁気インク文字列４ｇの読取結果に基づいて、当該小切手４に係る金融機関（種類）が特定され、金融機関に対応するテンプレート情報に基づいて、出力画像データが生成される。このような構成のため、作業者が、事前に、処理しようとしている小切手４の種類を把握し、小切手４の種類に応じて各小切手情報の記録位置を示す情報を入力することなく、適切な位置に各小切手情報が記録されることとなる。
【００３８】
一方、ステップＳＡ６において、テンプレート情報ＤＢ５２のいずれかのレコードに、ステップＳＡ４で特定した金融機関情報が金融機関情報フィールド５２ａに格納されたレコードが存在しないと判別した場合（ステップＳＡ６：ＮＯ）、テンプレート情報生成部５１は、記録ヘッドユニット２５を越えて小切手４を搬送させて、表面側ＣＩＳ２７によって小切手４の表面４ａを読み取らせ、読取結果に基づいて表面画像データ６０を生成させ、当該表面画像データ６０を送信させる制御コマンドを生成し、小切手処理装置１のデバイス側制御部２０に送信する（ステップＳＡ１１）。このテンプレート情報生成部５１の機能は、制御部４２のＣＰＵがプリンタードライバーを読み出して実行する等、ハードウェアとソフトウェアとの協働により実現される。
当該制御コマンドを受信したデバイス側制御部２０は、表面側ＣＩＳ２７に対応する位置に小切手４を搬送し、表面側ＣＩＳ２７によって小切手４の表面４ａを読み取り、読取結果に基づいて表面画像データ６０を生成し、ホストコンピューター３７のテンプレート情報生成部５１に出力する。記録データ生成部５０は、表面画像データ６０を受信する（ステップＳＡ１２）。
小切手処理装置１から表面画像データ６０を受信したテンプレート情報生成部５１は、小切手４を搬送方向と逆方向に搬送させ、表面側記録ヘッド２３による表面４ａへの画像の記録が開始される前の位置に小切手４を位置させる制御コマンドを生成し、小切手処理装置１のテンプレート情報生成部５１に送信する（ステップＳＡ１３）。
当該制御コマンドを受信したデバイス側制御部２０は、搬送機構１５を制御して、所定量だけ小切手４を搬送方向と逆方向に搬送し、小切手４を表面側記録ヘッド２３による表面４ａへの画像の記録が開始される前の位置に位置させる。
次いで、ホストコンピューター３７のテンプレート情報生成部５１は、小切手処理装置１から入力された表面画像データ６０に基づいてテンプレート情報を生成する（ステップＳＡ１４）。
以下、ステップＳＡ１４の処理について詳述する。
【００３９】
図６は、ステップＳＡ１２で小切手処理装置１から受信した表面画像データ６０を所定の座標系に展開した様子を模式的に示す図である。表面画像データ６０を所定の座標系に展開した場合、表面画像データ６０の各画素の座標は、座標系において原点として定義された位置からの相対的な位置によって一意に定義される。
ここで、本実施形態では、図２に示すように、発行日情報４ｂや、受取人情報４ｃ、額面数値情報４ｄ、額面文字列情報４ｅ、サイン４ｆのそれぞれは、以下の態様で小切手４に記録されるものとする。すなわち、発行日情報は、文字列「ＤＡＴＥ」の右方に形成されたアンダーラインに沿って記録される。また、受取人情報４ｃは、文字列「ＰＡＹ△ＴＯ△ＴＨＥ△ＯＲＤＥＲ△ＯＦ」（△はスペース。）の右方に形成されたアンダーラインに沿って記録される。また、額面数値情報４ｄは、通貨記号としての文字「＄」の右方に形成されたアンダーラインに沿って記録される。また、額面文字列情報４ｅは、文字列「ＤＯＬＬＡＲＳ」の左方に形成されたアンダーラインに沿って記録される。また、サイン４ｆは、文字列「ＳＩＧＮ」の右方に形成されたアンダーラインに沿って記録される。
なお、現実には、各小切手情報に対応する文言は共通ではなく、また、各小切手情報が記録される位置の目印もアンダーラインに限らないが（例えば、枠の場合がある。）、本実施形態では、説明の便宜のため、種類の相違にかかわらず、全ての小切手４について、各小切手情報が上記態様で記録されるものとする。
【００４０】
さて、ステップＳＡ１４において、まず、テンプレート情報生成部５１は、受信した表面画像データ６０を、所定の座標系に展開する。その際、テンプレート情報生成部５１は、図６に示すように、表面画像データ６０の長手方向がｘ軸に沿って延在し、かつ、短手方向がｙ軸に沿って延在するように、所定の座標系に表面画像データ６０を展開するものとする。
次いで、テンプレート情報生成部５１は、所定の座標系に展開した表面画像データ６０に基づいて、小切手４のサイズ（縦、横の長さ）を取得する。すなわち、ドット数と、物理的な長さとの対応関係が予め規定されており、テンプレート情報生成部５１は、表面画像データ６０のｘ軸方向のドット数と、ｙ軸方向のドット数を、物理的な長さに変換することにより、小切手４のサイズを検出する。ここで検出した小切手４のサイズは、テンプレート情報ＤＢ５２のサイズ情報フィールド５２ｃに格納されるテンプレート情報（小切手４のサイズを示す情報）に対応する情報である。
次いで、テンプレート情報生成部５１は、表面画像データ６０における文字列「ＤＡＴＥ」の位置を検出する。本実施形態では、文字列「ＤＡＴＥ」に係る画像データがテンプレートとして予め用意されており、テンプレート情報生成部５１は、テンプレートに係る画像データを利用したパターンマッチング処理により、表面画像データ６０における文字列「ＤＡＴＥ」の位置を検出する。
次いで、テンプレート情報生成部５１は、画像処理をとおして、表面画像データ６０における文字列「ＤＡＴＥ」の位置に基づいて、文字列「ＤＡＴＥ」に対応するアンダーラインＵＬ１を検出する。
次いで、テンプレート情報生成部５１は、アンダーラインＵＬ１に対応する領域Ｒ１を、発行日情報４ｂを記録すべき位置として特定し、この領域Ｒ１の四隅の座標を取得する。
次いで、テンプレート情報生成部５１は、表面画像データ６０の四隅に対する領域Ｒ１の四隅の相対的な位置を示す情報を、テンプレート情報ＤＢ５２の発行日記録位置情報フィールド５２ｄに格納されるテンプレート情報（発行日情報４ｂの記録位置を示す情報）として生成する。
テンプレート情報生成部５１は、受取人情報４ｃ、額面数値情報４ｄ、額面文字列情報４ｅ、及び、サイン４ｆについても、同様にして、パターンマッチング処理を利用して対応する領域の四隅の座標を取得し、取得した四隅の座標に基づいて、対応するテンプレート情報を生成する。
以上のようにして、テンプレート情報生成部５１は、テンプレート情報（小切手４のサイズを示す情報、及び、発行日情報４ｂ、受取人情報４ｃ、額面数値情報４ｄ、額面文字列情報４ｅ、及び、サイン４ｆの記録位置を示す情報）を生成する。
【００４１】
さて、前掲図４に戻り、テンプレート情報生成部５１は、ステップステップＳＡ１４で生成したテンプレート情報に基づいて、テンプレート情報ＤＢ５２に１件のレコードを新たに生成する（ステップＳＡ１５）。
具体的には、テンプレート情報生成部５１は、金融機関情報フィールド５２ａにステップＳＡ４で特定した金融機関情報を格納し、テンプレート情報フィールド５２ｂが備える各フィールドに、ステップＳＡ１４で生成した各テンプレート情報を格納することにより、１件のレコードを新たに生成する。
このように本実施形態では、ある一の小切手４を処理する際に、テンプレート情報ＤＢ５２に当該一の小切手４に対応するレコードが存在しない（＝当該一の小切手４のテンプレート情報が記憶されていない）場合は、当該一の小切手４の表面４ａを表面側ＣＩＳ２７によって光学的に読み取り、読取結果に基づいて、各小切手情報の記録位置を分析し、分析結果に基づいてテンプレート情報を生成し、当該一の小切手４に対応するレコードを新たに生成する。このような構成のため、一の小切手４を処理する際に、テンプレート情報ＤＢ５２に当該一の小切手４に係る金融機関（小切手４の種類）に対応するレコードが存在するか否かを把握する必要が無く、また、当該レコードが存在しない場合であっても人為的な手段を介することなく自動で適切なレコードが生成される。これにより、煩雑な作業をより効果的に抑制可能である。
ステップＳＡ１５の処理後、記録データ生成部５０は、ステップＳＡ１４で新たに生成されたレコードに係るテンプレート情報を取得し（ステップＳＡ７）、出力画像データの生成し（ステップＳＡ８）、制御コマンドを生成し（ステップＳＡ９）、生成した制御コマンドを送信する（ステップＳＡ１０）。
【００４２】
以上説明したように、本実施形態に係るホストコンピューター３７は、金融機関（小切手４の種類）ごとに、金融機関情報と、小切手４の表面４ａに記録すべき小切手情報のそれぞれの記録位置を示す情報を少なくとも含むテンプレート情報と、が対応付けられたテンプレート情報ＤＢ５２を記憶する記憶部４５と、磁気ヘッド２１の読取結果に基づいて、金融機関（小切手４の種類）を特定し、特定した金融機関に係る金融機関情報と対応付けて記憶されているテンプレート情報に応じて、小切手４の表面４ａに各小切手情報を記録させるための制御コマンドを生成する記録データ生成部５０と、を備えている。
この構成によれば、小切手４に記録された磁気インク文字列４ｇの読取結果に基づいて、金融機関が特定され、特定された金融機関に係る金融機関情報と対応付けて記憶されているテンプレート情報に応じて、小切手４の表面４ａに各小切手情報を記録させるための制御コマンドが生成されるため、小切手４に小切手情報を記録する際に、事前に、小切手の種類に応じた調整（作業者による小切手情報の記録位置を示す情報の入力）を行うことなく、小切手４の適切な位置に小切手情報を記録することが可能となり、煩雑な作業を経ることなく小切手４の種類に応じた適切な位置に小切手情報を記録できることとなる。
【００４３】
また、本実施形態に係るホストコンピューター３７は、一の小切手４の処理に際し、磁気ヘッド２１の読取結果に基づいて金融機関情報（小切手の種類）を特定すると共に、表面側ＣＩＳ２７の読取結果に基づいて各小切手情報の記録位置を分析し、分析結果に基づいて当該一の小切手のテンプレート情報を生成し、特定した金融機関情報と、生成したテンプレート情報とを対応付けたレコードをテンプレート情報ＤＢ５２に生成するテンプレート情報生成部５１を備える。
この構成によれば、表面側ＣＩＳ２７による小切手の表面４ａに対する光学的な読取結果に基づいて、自動で、テンプレート情報が生成され、当該テンプレート情報に対応する金融機関情報（小切手４の種類）と対応付けて記憶されるため、人為的な手段によりテンプレート情報を生成する必要が無く、さらに、煩雑な作業を抑制することが可能である。
【００４４】
また、本実施形態では、テンプレート情報生成部５１は、磁気ヘッド２１の読取結果に基づいて金融機関情報（小切手４の種類）を特定した後、特定した金融機関情報に対応するレコードが、テンプレート情報ＤＢ５２に存在するか否かを判別し、存在しない場合に処理中の小切手４に係るテンプレート情報の生成を行い、レコードを生成する。
この構成によれば、一の小切手４を処理したときに、当該一の小切手４に係る金融機関に対応するレコードがテンプレート情報ＤＢ５２に存在しない場合は、当該一の小切手４に係る金融機関に対応するレコードが、自動で、生成されるため、当該一の小切手を処理する際に、人為的な手段により記憶部４５のテンプレート情報ＤＢ５２にテンプレート情報が記憶されているか否かを判別する必要がなく、さらに、煩雑な作業を抑制することが可能である。
【００４５】
次いで、別の実施形態について説明する。
図７は、別の実施形態に係る小切手処理システム５の機能的構成を示すブロック図である。
図１と、図７との比較において明らかなように、別の実施形態では、小切手処理装置１のデバイス側制御部２０が、磁気インク文字認識部３５、記録制御部７０、及び、テンプレート情報生成部５１を備え、また、デバイス側記憶部３９にテンプレート情報ＤＢ５２が記憶されている。
記録制御部７０は、記録データ生成部５０に対応する機能ブロックであり、図４のフローチャートのステップＳＡ４〜ステップＳＡ１０に準じた動作を実行して、磁気ヘッド２１の読取結果に基づいて、金融機関情報を特定し、テンプレート情報ＤＢ５２に基づいて特定した金融機関情報に対応するテンプレート情報を取得し、取得したテンプレート情報に基づいて小切手４の表面４ａに記録すべき画像の画像データを生成し、生成した画像データをプリントバッファーに展開して小切手４の表面４ａへの画像の記録を実行する。
また、テンプレート情報生成部５１は、磁気ヘッド２１の読取結果に基づいて金融機関情報を特定した後、テンプレート情報ＤＢ５２に当該金融機関情報に係るレコードが存在しない場合は、図４のフローチャートのステップＳＡ１１〜ステップＳＡ１５に準じた処理を実行して、テンプレート情報ＤＢ５２に当該金融機関情報に係るレコードを新たに生成する。
このような構成であっても、作業者が、事前に、小切手４の種類に応じて各小切手情報の記録位置を示す情報を入力することなく、小切手４の表面４ａの適切な位置に各小切手情報を記録可能である。
【００４６】
なお、上述した実施の形態は、あくまでも本発明の一態様を示すものであり、本発明の範囲内で任意に変形および応用が可能である。
例えば、上述した実施形態では、小切手４に記録された磁気インク文字列４ｇを磁気的な検出手段で検出し文字認識していたが、光学的な検出手段で検出し文字認識する構成であってもよい。
また、上述した実施形態では、金融機関ごとに小切手４の種類が異なる実情を踏まえ、磁気インク文字列４ｇが示す識別情報に含まれる金融機関情報に基づいて、小切手４の種類を特定する構成であったが、将来的に、識別情報に、小切手４の種類を示す情報が含まれるようになった場合には、当該情報に基づいて小切手４の種類を特定するようにしてもよい。この場合、テンプレート情報ＤＢ５２の各レコードは、小切手４の種類を示す情報と、テンプレート情報とが対応付けられたものとなる。
また、本実施形態では、小切手処理装置１が備える記録装置は、インクジェット式であったが、記録装置の記録方式はこれに限らず、サーマル式や、ドットインパクト式、その他の記録方式であってもよい。
また例えば、図３、図７に示す各機能ブロックはハードウェアとソフトウェアの協働により任意に実現可能であり、特定のハードウェア構成を示唆するものではない。
また、例えば、制御部４２の機能を、ホストコンピューター３７に外部接続される別の装置に持たせるようにしてもよい。
また、ホストコンピューター３７の外部の記憶媒体に記憶させたプログラムを実行することにより、図４のフローチャートの各ステップを実行するようにしてもよい。
【符号の説明】
【００４７】
１…小切手処理装置、４…小切手、４ｂ…発行日情報（小切手情報）、４ｃ…受取人情報（小切手情報）、４ｄ…額面数値情報（小切手情報）、４ｅ…額面文字列情報（小切手情報）、４ｆ…サイン（小切手情報）、４ｇ…磁気インク文字列（識別情報）、５…小切手処理システム、２０…デバイス側制御部、２１…磁気ヘッド（情報読取部）、２３…表面側記録ヘッド（記録部）、２７…表面側ＣＩＳ（光学読取部）、３７…ホストコンピューター（制御装置）、３８…媒体処理部、３９…デバイス側記憶部（テンプレート情報記憶部）、４２…制御部、４５…記憶部（テンプレート情報記憶部）、５０…記録データ生成部、５１…テンプレート情報生成部、５２…テンプレート情報ＤＢ、５４…磁気ヘッド、７０…記録制御部。
【図１】
2013037602.tif 000003
【図２】
2013037602.tif 000004
【図３】
2013037602.tif 000005
【図４】
2013037602.tif 000006
【図５】
2013037602.tif 000007
【図６】
2013037602.tif 000008
【図７】
2013037602.tif 000009